(57)【要約】【課題】選択可能な伝送経路が複数存在する場合に最も好ましい伝送経路を選択する。【解決手段】基地局装置と、移動通信端末と、基地局装置と移動通信端末の間でデータ伝送を中継するリレー局装置とを備えた無線通信システムにおいて、移動通信端末は、第一及び第二それぞれの伝送経路の通信品質の評価値を求める際に必要な情報を収集する情報収集手段と、基地局装置との無線接続を確立する際に、通信品質の評価値を求めるのに必要な情報を用いて、第一及び第二の伝送経路の評価値をそれぞれ求め、良い評価値が得られた伝送経路を使用するべき伝送経路として選択する経路選択手段とを備えた。【選択図】図１
2010232945.tif 000002
【特許請求の範囲】
【請求項１】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおいて、
前記移動通信端末は、
前記第一及び第二それぞれの伝送経路の通信品質の評価値を求める際に必要な情報を収集する情報収集手段と、
前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択手段と
を備えたことを特徴とする無線通信システム。
【請求項２】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおいて、
前記移動通信端末は、
前記第一、第二及び第三それぞれの伝送経路の通信品質の評価値を求める際に必要な情報を収集する情報収集手段と、
前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択手段と
を備えたことを特徴とする無線通信システム。
【請求項３】
前記経路選択手段は、
前記無線接続の確立中に、前記評価値を算出し、接続中の伝送経路の評価値より良い評価値が得られた伝送経路を使用するべき伝送経路として選択して、使用するべき伝送経路を変更することを特徴とする請求項１または２に記載の無線通信システム。
【請求項４】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおいて、
前記基地局装置は、
前記第一及び第二それぞれの伝送経路の通信品質の評価値を求める際に必要な情報を収集する情報収集手段と、
前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択手段と
を備えたことを特徴とする無線通信システム。
【請求項５】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおいて、
前記基地局装置は、
前記第一、第二及び第三それぞれの伝送経路の通信品質の評価値を求める際に必要な情報を収集する情報収集手段と、
前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択手段と
を備えたことを特徴とする無線通信システム。
【請求項６】
前記経路選択手段は、
前記無線接続の確立中に、前記評価値を算出し、接続中の伝送経路の評価値より良い評価値が得られた伝送経路を使用するべき伝送経路として選択して、使用するべき伝送経路を変更することを特徴とする請求項４または５に記載の無線通信システム。
【請求項７】
前記通信品質の評価値を求める際に必要な情報は、使用周波数帯域、伝送時間、伝播損失値、伝播損失変動値幅、相対移動速度、送信電力値の少なくとも１つであることを特徴とする請求項１から６のいずれかに記載の無線通信システム。
【請求項８】
前記経路選択手段は、
上りの伝送経路と下りの伝送経路のうち、いずれか一方もしくは両方の前記評価値を求めて選択された伝送経路を上り及び下りの使用するべき伝送経路として選択することを特徴とする請求項１から７のいずれかに記載の無線通信システム。
【請求項９】
前記経路選択手段は、
上りの伝送経路と下りの伝送経路それぞれの前記評価値を求め、上りと下りそれぞれにおいて良い評価値が得られた伝送経路を使用するべき伝送経路として選択することを特徴とする請求項１から７のいずれかに記載の無線通信システム。
【請求項１０】
前記移動通信端末は、無線接続確立中に使用している伝送経路を識別することができる情報を表示する表示手段をさらに備えたことを特徴とする請求項１から９のいずれかに記載の無線通信システム。
【請求項１１】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおける無線通信経路選択方法であって、
前記移動通信端末が、
前記第一及び第二それぞれの伝送経路の通信品質の評価値を求める際に必要な情報を収集する情報収集ステップと、
前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップと
を有することを特徴とする無線通信経路選択方法。
【請求項１２】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおける無線通信経路選択方法であって、
前記移動通信端末が、
前記第一、第二及び第三それぞれの伝送経路の通信品質の評価値を求める際に必要な情報を収集する情報収集ステップと、
前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップと
を有することを特徴とする無線通信経路選択方法。
【請求項１３】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおける無線通信経路選択方法であって、
前記基地局装置が、
前記第一及び第二それぞれの伝送経路の通信品質の評価値を求める際に必要な情報を収集する情報収集ステップと、
前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップと
を有することを特徴とする無線通信経路選択方法。
【請求項１４】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおける無線通信経路選択方法であって、
前記基地局装置が、
前記第一、第二及び第三それぞれの伝送経路の通信品質の評価値を求める際に必要な情報を収集する情報収集ステップと、
前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップと
を有することを特徴とする無線通信経路選択方法。
【請求項１５】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システム上において動作する無線通信経路選択プログラムであって、
前記移動通信端末内のコンピュータに、
前記第一及び第二それぞれの伝送経路の通信品質の評価値を求める際に必要な情報を収集する情報収集ステップと、
前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップと
を行わせることを特徴とする無線通信経路選択プログラム。
【請求項１６】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システム上において動作する無線通信経路選択プログラムであって、
前記移動通信端末内のコンピュータに、
前記第一、第二及び第三それぞれの伝送経路の通信品質の評価値を求める際に必要な情報を収集する情報収集ステップと、
前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップと
を行わせることを特徴とする無線通信経路選択プログラム。
【請求項１７】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システム上において動作する無線通信経路選択プログラムであって、
前記基地局装置内のコンピュータに、
前記第一及び第二それぞれの伝送経路の通信品質の評価値を求める際に必要な情報を収集する情報収集ステップと、
前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップと
を行わせることを特徴とする無線通信経路選択プログラム。
【請求項１８】
基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システム上において動作する無線通信経路選択プログラムであって、
前記基地局装置内のコンピュータに、
前記第一、第二及び第三それぞれの伝送経路の通信品質の評価値を求める際に必要な情報を収集する情報収集ステップと、
前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップと
を行わせることを特徴とする無線通信経路選択プログラム。
【発明の詳細な説明】
【技術分野】
【０００１】
本発明は、無線通信システム、無線通信経路選択方法及び無線通信経路選択プログラムに関する。
【背景技術】
【０００２】
近年の移動通信システムは、従来の通話のみの用途の通信システムに比べ、より高い無線品質が要求され、また移動端末局の送信電力が電源容量などの制約で制限されるため、１つの無線基地局がカバーする無線エリアの拡張が困難になっている。そこで、通信サービスエリアの拡大や通信品質の向上などの目的で、リレー局（中継局）を通信サービスエリアの遠端部や電波不感地帯に配置して、無線基地局と移動通信端末局との間でリレー局を介してリレー通信を行うリレー通信システムが用いられている（例えば、特許文献１参照）。
【先行技術文献】
【特許文献】
【０００３】
【特許文献１】特開２００８−６０９５１号公報
【発明の概要】
【発明が解決しようとする課題】
【０００４】
リレー局を介した基地局と移動通信端末（以下、移動局という）局との無線通信システムにおいて、移動局、リレー局、基地局の間で測定される受信品質及び受信電力から移動局と基地局間の伝送路で通信するか、リレー局を介して通信するかを判定する場合、使用する無線リソース、相対移動速度、他のセルへの干渉、遅延時間の観点から最適な判定をすることは困難であるため、頻繁なハンドオーバー、大きなリソース消費、遅延時間の増大を招く可能性があるという問題がある。
【０００５】
例えば、呼接続を確立する段階で、リレー局を介するか基地局と直接通信するかの２つの伝送経路からどちらかを選択しなければならない場合、呼接続後の移動局やリレー局の移動などによって伝送路の状況が大きく変化することで必ずしも呼接続開始時の状況が維持されず、選択すべき経路がリソース消費量、移動速度、干渉量、遅延時間の観点から変化する場合が発生する。従来の通信方式の受信レベルから算出される受信品質やパスロス値だけからの判別は選択精度が劣化するという問題がある。
【０００６】
本発明は、このような事情に鑑みてなされたもので、基地局と移動局の間で通信を行う場合に、選択可能な伝送経路が複数存在する場合に最も好ましい伝送経路を選択することが可能な無線通信システム、無線通信経路選択方法及び無線通信経路選択プログラムを提供することを目的とする。
【課題を解決するための手段】
【０００７】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおいて、前記移動通信端末は、前記第一及び第二それぞれの伝送経路の通信品質の評価値を求める際に必要な情報を収集する情報収集手段と、前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択手段とを備えたことを特徴とする。
【０００８】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおいて、前記移動通信端末は、前記第一、第二及び第三それぞれの伝送経路の通信品質の評価値を求める際に必要な情報を収集する情報収集手段と、前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択手段とを備えたことを特徴とする。
【０００９】
本発明は、前記経路選択手段は、前記無線接続の確立中に、前記評価値を算出し、接続中の伝送経路の評価値より良い評価値が得られた伝送経路を使用するべき伝送経路として選択して、使用するべき伝送経路を変更することを特徴とする。
【００１０】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおいて、前記基地局装置は、前記第一及び第二それぞれの伝送経路の通信品質の評価値を求める際に必要な情報を収集する情報収集手段と、前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択手段とを備えたことを特徴とする。
【００１１】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおいて、前記基地局装置は、前記第一、第二及び第三それぞれの伝送経路の通信品質の評価値を求める際に必要な情報を収集する情報収集手段と、前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択手段とを備えたことを特徴とする。
【００１２】
本発明は、前記経路選択手段は、前記無線接続の確立中に、前記評価値を算出し、接続中の伝送経路の評価値より良い評価値が得られた伝送経路を使用するべき伝送経路として選択して、使用するべき伝送経路を変更することを特徴とする。
【００１３】
本発明は、前記通信品質の評価値を求める際に必要な情報は、使用周波数帯域、伝送時間、伝播損失値、伝播損失変動値幅、相対移動速度、送信電力値の少なくとも１つであることを特徴とする。
【００１４】
本発明は、前記経路選択手段は、上りの伝送経路と下りの伝送経路のうち、いずれか一方もしくは両方の前記評価値を求めて選択された伝送経路を上り及び下りの使用するべき伝送経路として選択することを特徴とする。
【００１５】
本発明は、前記経路選択手段は、上りの伝送経路と下りの伝送経路それぞれの前記評価値を求め、上りと下りそれぞれにおいて良い評価値が得られた伝送経路を使用するべき伝送経路として選択することを特徴とする。
【００１６】
本発明は、前記移動通信端末は、無線接続確立中に使用している伝送経路を識別することができる情報を表示する表示手段をさらに備えたことを特徴とする。
【００１７】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおける無線通信経路選択方法であって、前記移動通信端末が、前記第一及び第二それぞれの伝送経路の通信品質の評価値を求める際に必要な情報を収集する情報収集ステップと、前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップとを有することを特徴とする。
【００１８】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおける無線通信経路選択方法であって、前記移動通信端末が、前記第一、第二及び第三それぞれの伝送経路の通信品質の評価値を求める際に必要な情報を収集する情報収集ステップと、前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップとを有することを特徴とする。
【００１９】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システムにおける無線通信経路選択方法であって、前記基地局装置が、前記第一及び第二それぞれの伝送経路の通信品質の評価値を求める際に必要な情報を収集する情報収集ステップと、前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップとを有することを特徴とする。
【００２０】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システムにおける無線通信経路選択方法であって、前記基地局装置が、前記第一、第二及び第三それぞれの伝送経路の通信品質の評価値を求める際に必要な情報を収集する情報収集ステップと、前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップとを有することを特徴とする。
【００２１】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システム上において動作する無線通信経路選択プログラムであって、前記移動通信端末内のコンピュータに、前記第一及び第二それぞれの伝送経路の通信品質の評価値を求める際に必要な情報を収集する情報収集ステップと、前記基地局装置との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップとを行わせることを特徴とする。
【００２２】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システム上において動作する無線通信経路選択プログラムであって、前記移動通信端末内のコンピュータに、前記第一、第二及び第三それぞれの伝送経路の通信品質の評価値を求める際に必要な情報を収集する情報収集ステップと、前記基地局装置との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップとを行わせることを特徴とする。
【００２３】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路との中で複数の経路が使用可能である無線通信システム上において動作する無線通信経路選択プログラムであって、前記基地局装置内のコンピュータに、前記第一及び第二それぞれの伝送経路の通信品質の評価値を求める際に必要な情報を収集する情報収集ステップと、前記移動通信端末との無線接続を確立する際に、前記通信品質の評価値を求める際に必要な情報を用いて、前記第一及び第二の伝送経路の評価値をそれぞれ求め、良い評価値が得られた伝送経路を使用するべき伝送経路として選択する経路選択ステップとを行わせることを特徴とする。
【００２４】
本発明は、基地局装置と、移動通信端末と、前記基地局装置と前記移動通信端末の間でデータ伝送を中継するリレー局装置とを備え、前記基地局装置と前記移動通信端末間の第一の伝送路を使用してデータ伝送を行う第一の伝送経路と、前記基地局装置と前記リレー局装置間の第二の伝送路及び前記リレー局装置と前記移動通信端末間の第三の伝送路を使用してデータ伝送を行う第二の伝送経路と、前記第１の伝送経路と前記第２の伝送経路とを同時に使用してデータ伝送を行う第三の伝送経路との中で複数の経路が使用可能である無線通信システム上において動作する無線通信経路選択プログラムであって、前記基地局装置内のコンピュータに、前記第一、第二及び第三それぞれの伝送経路の通信品質の評価値を求める際に必要な情報を収集する情報収集ステップと、前記移動通信端末との無線接続を確立する際に、前記通信品質の評価値を求める際に必要な情報を用いて、前記第一、第二及び第三の伝送経路の評価値をそれぞれ求め、良い評価値が得られた伝送経路を使用するべき伝送経路として選択する経路選択ステップとを行わせることを特徴とする。
【発明の効果】
【００２５】
本発明によれば、各伝送経路で使用する伝送路の評価関数の評価値に基づいて使用するべき伝送経路の選択を行うようにしたため、最も好ましい伝送経路を選択することができるという効果が得られる。
【図面の簡単な説明】
【００２６】
【図１】本発明の無線通信システムにおいて用いられる移動局、基地局、リレー局の概略構成を示す図である。
【図２】図１に示す移動局の通信経路選択動作を示すフローチャートである。
【発明を実施するための形態】
【００２７】
以下、図面を参照して、本発明の一実施形態による無線通信システムを説明する。図１は同実施形態の構成を示すブロック図である。この図において、符号１は、無線通信システムにおいて用いられる移動通信端末（以下、移動局という）である。符号２は、通信サービスエリアを有し、移動局１と無線通信の伝送路を確立する基地局である。符号３は、基地局２の通信サービスエリアの遠端部や電波不感地帯に配置され、基地局２の通信サービスエリアの拡大や通信品質の向上などの目的で特定の通信サービスエリアを有するリレー局である。移動局１と基地局２との間で無線通信を行う場合、リレー局３を介してリレー通信を行うことにより、基地局２の通信サービスエリアの拡大や通信品質の向上を図る。符号４は、基地局２が接続されるコアネットワークである。コアネットワーク４には、基地局２が複数接続されるが図１においては省略されている。また、リレー局３についても１つの基地局２の通信サービルエリアを拡大するために、複数のリレー局３が設置される場合もあるが、図１においては省略されている。
【００２８】
次に、図１に示す移動局１の構成を説明する。符号１１は、無線信号を送受信するためのアンテナで受信した無線信号をベースバンド信号に変換し、送信を行うべきベースバンド信号を無線信号に変換する無線部である。符号１２は、送信データに対して符号化処理及び変調処理を行い、ベースバンド信号を生成する送信部である。符号１３は、無線部１１でベースバンド信号に変換された受信信号を復調処理及び復号処理を行う受信部である。符号１４は、移動局１の処理動作を統括して制御する制御部である。符号１５は、音声通話やパケット通信サービスなどのアプリケーション処理及びユーザインタフェース処理を行うアプリケーション部である。符号１６は、通信品質の評価値を求めるために、無線部１１において、送受信した信号に関する情報を収集する情報収集部である。符号１７は、情報収集部１６において収集した情報に基づいて、移動局１と基地局２との間の伝送経路を選択する経路選択部である。符号１８は、移動局１の地球上の位置を特定するＧＰＳ（Global Positioning System）の受信機であり、緯度経度情報を出力する。
【００２９】
次に、図１に示す基地局２の構成を説明する。符号２１は、アンテナを介して、移動局１またはリレー局３との間で送受信する無線信号をベースバンドへダウンコンバートしたり、ベースバンド信号を無線信号へアップコンバートしたりする無線部である。符号２２は、移動機１に送信するデータを生成し変調を行う送信部である。符号２３は、移動機１から送信されたデータを受信して復調する受信部である。符号２４は、基地局２の処理動作を統括して制御する制御部である。符号２５は、コアネットワーク４との間で通信を行うネットワーク通信部である。符号２６は、通信品質の評価値を求めるために、無線部２１において、送受信した信号に関する情報を収集する情報収集部である。符号２７は、情報収集部２６において収集した情報に基づいて、移動局１と基地局２との間の伝送経路を選択する経路選択部である。
【００３０】
次に、図１に示すリレー局３の構成を説明する。符号３１は、アンテナを介して、移動局１または基地局２との間で送受信する無線信号をベースバンドへダウンコンバートしたり、ベースバンド信号を無線信号へアップコンバートしたりする無線部である。符号３２は、中継するために送信するべきデータを生成し変調を行う送信部である。符号３３は、中継するために受信したデータを復調する受信部である。符号３４は、リレー局３の処理動作を統括して制御する制御部であり、受信部３３において受信した中継するべきデータを送信部３２を介して送信を行う。符号３５は、リレー局３が移動可能な場合に、リレー局３の地球上の位置を特定するＧＰＳの受信機であり、緯度経度情報を出力する。
【００３１】
次に、移動局１、基地局２及びリレー局３それぞれの無線通信伝送路について説明する。ここでは、移動局１と基地局２との間の上りと下りの無線通信伝送路を伝送路１と称する。また、基地局２とリレー局３との間の上りと下りの無線通信伝送路を伝送路２と称する。また、移動局１とリレー局３との間の上りと下りの無線通信伝送路を伝送路３と称する。これら３つの伝送路を使用して、移動局１と基地局２との間でデータの送受信を行うことができる複合の無線通信伝送路を伝送経路と称する。伝送経路は、伝送路１のみを使用した伝送経路（これを伝送経路１と称する）と、リレー局３を介して伝送路２、３を使用する伝送経路（これを伝送経路２と称する）と、伝送路１と伝送路２、３を同時に並行して使用する伝送経路（これを伝送経路３と称する）とがある。
【００３２】
なお、移動局１、基地局２及びリレー局３の構成を図１を参照して説明するに際して、移動局１、基地局２及びリレー局３が普通に有する公知の機能・構成については、本発明の説明に直接関わりがない限り、その説明及び構成の図示を省略する。
【００３３】
また、移動局１に備える経路選択部１７と、基地局２に備える経路選択部２７は、いずれか一方が備えられていればよい。すなわち、経路選択部１７を移動局１に備え、経路選択動作を移動局１側で行う場合は、基地局２の経路選択部２７は、必ずしも備えている必要はない。また、経路選択部２７を基地局２に備え、経路選択動作を基地局側２側で行う場合は、移動局１の経路選択部１７は、必ずしも備えている必要はない。以下の説明においては、経路選択動作を移動局１側で行ものとして説明する。
【００３４】
次に、図１に示す情報収集部１６が収集した情報に基づいて、経路選択部１７が伝送経路の選択を行う動作を説明する。ここでは、基地局２と移動局１の間で上り下りのデータ通信を目的とし、更にそのデータ通信を中継する目的でリレー局３が設置されているものとして説明する。移動局１と基地局２の間で上り及び下りの無線通信の伝送路を確立する時、伝送経路１及び伝送経路２のいずれも使用可能である場合は、以下の数式による計算を実施することで使用する伝送経路の選択を行う。
【００３５】
【数１】
2010232945.tif 000003
【００３６】
（１）式及び（２）式により算出したＥ経路１（伝送経路１の評価関数値）及びＥ経路２（伝送経路２の評価関数値）は、小さい値であるほど好ましい（良い）伝送経路と推定することができる。したがって、経路選択部１７は、（３）式及び（４）式を使用して、使用するべき伝送経路の選択判定を行い、（３）式を満たす場合は伝送経路１を選択し、（４）式を満たす場合は伝送経路２を選択する。
Ｅ経路１≦Ｅ経路２  ・・・（３）
Ｅ経路１＞Ｅ経路２  ・・・（４）
【００３７】
（１）式及び（２）式における下りの伝送路１、２、３それぞれの評価値は、対象とする移動局１と基地局２間の通信品質に関する各値を情報収集部１６が収集し、収集した各値から（５）〜（７）式または（５’）〜（７’）式によって求める。
【００３８】
【数２】
2010232945.tif 000004
【００３９】
（５）〜（７）式または（５’）〜（７’）式において、下り使用周波数帯域は、基地局２もしくはリレー局３から単位情報を送信する際に使用する周波数帯域幅を用いる。また、下り伝送時間ｔ１ＤＬ、ｔ２ＤＬ、ｔ３ＤＬは、単位情報量をＶｂｉｔとすると、（８）式より算出する。
【００４０】
【数３】
2010232945.tif 000005
【００４１】
（８）式において、使用周波数帯域ＢＷ１ＤＬ、ＢＷ２ＤＬ、ＢＷ３ＤＬ、は、伝送路の距離が長ければ長いほど、信号の減衰による信号対雑音比の低下により通信容量が減少するため、そのような場合に、一定のビット数を伝送する際には大きな帯域が必要になる。したがって、伝送路の伝播損失値（Path Loss）を測定して使用周波数帯域を決定してもよい。また、伝播損失変動幅ΔＰＬ１ＤＬ、ΔＰＬ２ＤＬ、ΔＰＬ３ＤＬは特定の測定期間におけるそれぞれの伝送路で測定した伝播損失値（Path Loss）の最大値と最小値の絶対差から算出する。
【００４２】
伝播損失変動幅は、２局間の相対移動速度に比例するため、（５）〜（７）式及び（５’）〜（７’）式において、伝播損失幅の値を２局間の相対移動速度の値に置き換えてもよい。相対移動速度の測定は、移動局１及び設置位置の移動が可能なリレー局３のそれぞれに備えられたＧＰＳ１８、３５によって定期的に移動局１及びリレー局３の位置を測定し、単位時間当たりの移動距離に基づいて、リレー局３、移動局１及び位置が既知である基地局２それぞれの間の相対移動速度を求めればよい。
【００４３】
伝送路で無線通信する際の送信電力（送信される平均電力）Ｐ１ＤＬ、Ｐ２ＤＬ、Ｐ３ＤＬは、他セルへの干渉や消費電力の観点から低いほど好ましいため、この評価項目として特定の測定期間の送信電力値について平均することで算出する。
【００４４】
一方、（１）式及び（２）式における上りの伝送路１、２、３の評価値Ｅ１ＵＬ、Ｅ２ＵＬ、Ｅ３ＵＬも同様に、対象とする移動局１と基地局２間の通信品質に関する各値を情報収集部１６が収集し、収集した各値から（９）〜（１１）式または（９’）〜（１１’）式によって求める。
【００４５】
【数４】
2010232945.tif 000006
【００４６】
上り伝送路及び下り伝送路の重み付け係数は、予め経路選択部１７内に定数として設定され、これにより伝送経路の選択時に各値に対して必要に応じて重み付けを行う。すなわち、重視する評価要素に対してはより大きな重み係数を設定して、評価値の中での比率を高める、重視しない評価要素に対してはより小さな重み係数を設定するか、もしくは無視しても良い場合は０を設定する。
【００４７】
次に、呼接続の確立が完了した時点から、周期的に（１）式及び（２）式による経路の評価値Ｅ経路１、Ｅ経路２を算出し、経路変更を行う動作を説明する。経路選択部１７は、（１２）式及び（１３）式を使用して、使用するべき伝送経路の変更判定を行う。経路選択部１７は、伝送経路１を使用中に、（１２）式を満たした場合は、伝送経路２へ変更を行う。また、経路選択部１７は、伝送経路２を使用中に、（１３）式を満たした場合は、伝送経路１へ変更を行う。
【００４８】
Ｅ経路１−ＫＴＨ１＞Ｅ経路２  ・・・（１２）
Ｅ経路２−ＫＴＨ２＞Ｅ経路１  ・・・（１３）
ＫＴＨ１、ＫＴＨ２：  経路変更時の評価値差分
【００４９】
伝送経路変更時の評価値差分は予め経路選択部１７内に定められている。これによって現在使用している伝送経路との評価値差分がある一定値以上にならない限り伝送経路変更しないことになり、必要以上に頻繁に伝送経路変更を行うことで消費する無線リソースを抑制することが可能となる。伝送経路変更はハンドオーバーもしくは、一旦現状の呼接続を切断してから再度確立する手順により実施する。
【００５０】
次に、図２を参照して、図１に示す無線通信システムの動作を説明する。ここでは、経路選択動作を移動局１側で行うものとして説明する。まず、情報収集部１６は、通信品質の評価値を求めるのに必要な情報を収集する（ステップＳ１）。情報収集部１６が収集する情報は、伝送路１、２、３それぞれの下り伝送路及び上り伝送路について、使用周波数帯域、直前の単位情報を伝送する際の再送を含めた所要時間（伝送時間）、直前までの測定期間における各伝送路で測定される伝播損失値、直前までの測定期間における各伝送路で測定される伝播損失変動幅、直前までの平均化区間における基地局２およびリレー局３から送信される平均電力（平均送信電力）である。これらの情報は、（５）〜（７）式または（５’）〜（７’）、式（９）〜（１１）式または（９’）〜（１１’）式を計算するために必要な情報である。また、これらの情報は、移動局１自身が収集可能であれば、移動局１自身で収集して、情報収集部１６内に保持しておく。また、移動局１自身が収集できない情報は、事前に基地局２及びリレー局３から移動局１へ通知し、情報収集部１６内に保持しておく。
【００５１】
次に、経路選択部１７は、情報収集部１６に保持されている情報と、（１）式及び（２）式により、各伝送経路の評価値を算出する（ステップＳ２）。そして、経路選択部１７は、算出した評価値に基づいて、通信可能な伝送経路を特定する（ステップＳ３）。ここで、特定される伝送経路は、複数の場合もある。経路選択部１７は、特定した通信可能な伝送経路が複数あるか否かを判定し（ステップＳ４）、複数の伝送経路が特定された場合は、評価値の最も良い（（１）式または（２）式で得られる値が小さい方）伝送経路を選択する（ステップＳ５）。そして、経路選択部１７は、選択した伝送経路を識別することが可能な情報を制御部１４へ通知する。一方、通信可能な伝送経路が１つのみの場合、経路選択部１７は、その伝送経路を識別することが可能な情報を制御部１４へ通知する。
【００５２】
次に、制御部１４は、経路選択部１７から通知された伝送経路の識別情報に基づいて、伝送経路を確立し、呼接続を行う（ステップＳ６）。呼接続が行われた後も情報収集部１６は、通信品質の評価値を求めるのに必要な情報を収集する動作を継続する（ステップＳ７）。そして、経路選択部１７は、情報収集部１６に保持されている情報と、（１）式及び（２）式により、各伝送経路の評価値を算出する（ステップＳ８）動作を継続し、現在接続している伝送経路より評価値が良い伝送経路があるか否かを判定する（ステップＳ９）。この判定の結果、現在接続している伝送経路より評価値が良い伝送経路がある場合、経路選択部１７は、制御部１４に対して、ハンドオーバーするべき伝送経路を識別することが可能な情報を通知する。これを受けて、制御部１４は、ハンドオーバーを行う（ステップＳ１０）。一方、現在接続している伝送経路より評価値が良い伝送経路がない場合は、接続している呼接続を維持する。そして、情報収集部１６、経路選択部１７及び制御部１４は、呼切断されるまでステップＳ７〜Ｓ１０の処理動作を繰り返す。
【００５３】
次に、前述した評価値の算出を簡略化して使用する例を説明する。伝送経路１で使用する伝送路１と、伝送経路２（伝送路２と伝送路３）において同一帯域幅の伝送路を使用すると、（１４）式及び（１５）式を満たす。
【００５４】
【数５】
2010232945.tif 000007
【００５５】
また、単位情報量を一定の帯域幅で伝送するため、伝送に必要な時間もそれぞれ同一となるため、（１６）式及び（１７）式を満たす。
【００５６】
【数６】
2010232945.tif 000008
【００５７】
重み付け係数は、伝送路１、２、３において同一の重みで評価した場合、（１８）〜（２０）式の条件を満たす。
Ｋ１１＝Ｋ２１＝Ｋ３１＝Ｋ１  ・・・（１８）
Ｋ１２＝Ｋ２２＝Ｋ３２＝Ｋ２  ・・・（１９）
Ｋ１３＝Ｋ２３＝Ｋ３３＝Ｋ３  ・・・（２０）
【００５８】
さらに、下り経路を主に使用して上り経路を頻繁に使わない使用形態であると仮定すると、上り伝送路は大きな問題とはならないため、上り評価に関する係数を（２１）〜（２３）式のように全て０とすることができる。
Ｋ４１＝Ｋ４２＝Ｋ４３＝Ｋ４４＝０  ・・・（２１）
Ｋ５１＝Ｋ５２＝Ｋ５３＝Ｋ５４＝０  ・・・（２２）
Ｋ６１＝Ｋ６２＝Ｋ６３＝Ｋ６４＝０  ・・・（２３）
【００５９】
この条件を（５）〜（７）式、（９）〜（１１）式に加えて、その結果を（１）式及び（２）式に適用すると、伝送経路１及び伝送経路２の評価関数値は、（２４）、（２５）式または（２４’）、（２５’）式によって求めることができる。
【００６０】
【数７】
2010232945.tif 000009
【００６１】
呼接続の確立時に伝送経路１と伝送経路２との比較を行うために、（２４）式と（２５）式で求めたそれぞれの評価値の差分を求めて、その結果に基づいて伝送経路を選択することが可能となる。したがって、経路選択部１７は、（２６）式及び（２７）式を使用して、使用するべき伝送経路の選択判定を行い、（２６）式を満たす場合は伝送経路１を選択し、（２７）式を満たす場合は伝送経路２を選択する。
【００６２】
Ｅ経路２−Ｅ経路１≧０  ・・・（２６）
Ｅ経路２−Ｅ経路１＜０  ・・・（２７）
【００６３】
この判定に必要なＥ経路２−Ｅ経路１の値は、（２８）式または（２８’）式によって求めることができる。
【００６４】
【数８】
2010232945.tif 000010
【００６５】
このように、（２８）式または（２８’）式に示す簡易な算出値を使用することにより簡単な演算処理で伝送経路の選択が可能となるため、経路選択部１７は、速やかに経路選択を行うことができる。
【００６６】
呼接続を開始する際に伝送経路を選択する場合は、帯域幅、伝送時間、平均送信電力は予め基地局２において定義しておき、呼接続開始の直前における伝播損失値幅を移動局２及びリレー局３にて測定し、これらの値を基地局２へ送信することで基地局２にて経路選択を行うことが可能となる。
【００６７】
次に、呼接続の確立が完了した時点から、周期的に（２４）式及び（２５）式による経路の評価値を算出し、経路変更を行う動作を説明する。経路選択部１７は、前述した動作と同様に、上記の（１２）式及び（１３）式を使用して、使用するべき伝送経路の変更判定を行う。経路選択部１７は、伝送経路１を使用中に、（１２）式を満たした場合は、伝送経路２へ変更を行う。また、経路選択部１７は、伝送経路２を使用中に、（１３）式を満たした場合は、伝送経路１へ変更を行う。
【００６８】
経路変更時の評価値差分は予め定められ、これによって現在使用している伝送経路との評価値差分がある一定値以上にならない限り伝送経路変更しないことになり、必要以上に頻繁に伝送経路変更を行うことで消費する無線リソースを抑制することが可能となる。伝送経路変更はハンドオーバーもしくは、一旦現状の呼接続を切断してから再度確立する手順で実施する。
【００６９】
次に、図１に示す無線通信システムの構成において、伝送路１を使用した伝送経路１と、伝送路２及び伝送路３を使用した伝送経路２とを同時に使用する伝送経路３を使用する場合の経路選択動作を説明する。伝送経路１と伝送経路２とを同時に使用した伝送経路３を使用する通信方式としては、３ＧＰＰ  ＴＳＧ−ＲＡＮ１  ＃５３ｂｉｓ  Ｒ−０８２５１７’Ｔｒａｎｓｐａｒｅｎｔ  Ｒｅｌａｙ  ｆｏｒ  ＬＴＥ−Ａｄｖａｎｃｅｄ  ＦＤＤ’で提案されている方式が知られている。移動局１と基地局２の間で上り及び下りの無線通信を確立する時、伝送経路１、２、３のいずれもが使用可能である場合は、上記の（１）式、（２）式に加えて、（３１）式によって求められる評価値を用いていずれの伝送経路を使用するかを判定する。
【００７０】
【数９】
2010232945.tif 000011
【００７１】
呼接続を確立する際には、直前にそれぞれの伝送経路での通信状況や測定値を基にしてＥ経路１、Ｅ経路２、Ｅ経路３を算出し、最も値が小さく好ましい値が算出された伝送経路を選択する。呼接続の確立が完了した時点から、周期的に（１）式、（２）式、（３１）式による伝送経路１、２、３それぞれの評価値を算出し、（３２）式〜（３７）式によって伝送経路の変更を判定する。
【００７２】
伝送経路１を選択中に、Ｅ経路２≦Ｅ経路３を満たす場合、（３２）式を満たした場合は、伝送経路２へ変更する。
Ｅ経路１＋ＫＴＨ１＞Ｅ経路３  ・・・（３２）
伝送経路１を選択中に、Ｅ経路２＞Ｅ経路３を満たす場合、（３３）式を満たした場合は、伝送経路３へ変更する。
Ｅ経路１＋ＫＴＨ２＞Ｅ経路３  ・・・（３３）
伝送経路２を選択中に、Ｅ経路１≦Ｅ経路３を満たす場合、（３４）式を満たした場合は、伝送経路１へ変更する。
Ｅ経路２＋ＫＴＨ３＞Ｅ経路１  ・・・（３４）
伝送経路２を選択中に、Ｅ経路１＞Ｅ経路３を満たす場合、（３５）式を満たした場合は、伝送経路３へ変更する。
Ｅ経路２＋ＫＴＨ４＞Ｅ経路３  ・・・（３５）
伝送経路３を選択中に、Ｅ経路１≦Ｅ経路２を満たす場合、（３６）式を満たした場合は、伝送経路１へ変更する。
Ｅ経路２＋ＫＴＨ５＞Ｅ経路１  ・・・（３６）
伝送経路３を選択中に、Ｅ経路１＞Ｅ経路２を満たす場合、（３７）式を満たした場合は、伝送経路２へ変更する。
Ｅ経路２＋ＫＴＨ６＞Ｅ経路３  ・・・（３７）
（３２）〜（３７）式において、ＫＴＨ１〜ＫＴＨ６は、経路変更時の評価値差分である。
【００７３】
伝送経路変更時の評価値差分は予め経路選択部１７内に定められている。これによって現在使用している伝送経路との評価値差分がある一定値以上にならない限り伝送経路変更しないことになり、必要以上に頻繁に伝送経路変更を行うことで消費する無線リソースを抑制することが可能となる。伝送経路変更はハンドオーバーもしくは、一旦現状の呼接続を切断してから再度確立する手順で実施する。
【００７４】
なお、前述した説明においては、経路選択動作を移動局１の経路選択部１７が行うものとして説明したが、同様の処理動作を基地局２の経路選択部２７が行うようにしてもよい。この場合、経路選択部２７において選択された伝送経路を識別する情報を基地局２から移動局１へ通知し、移動局１がこの通知された伝送経路を識別する情報に基づいて、使用する伝送経路を特定し、移動局１が呼接続やハンドオーバーを行なえばよい。
【００７５】
また、伝送経路の選択は、下りまたは上りの一方の評価値に基づいて選択された伝送経路と同一の伝送経路を他方（上りまたは下り）の伝送経路においても使用するようにしてもよい。このようにすることにより、経路選択の判定処理を簡単にすることができる。例えば、下りの評価値に基づいて、伝送経路１が選択された場合、上りの評価値を求めることなく、上りについても伝送経路１を選択することにより、上りの評価値を求める処理を省略することができる。
【００７６】
また、上りと下りのそれぞれの評価値に基づいて、上りと下りで異なる伝送経路を選択するようにしてもよい。例えば、上りは伝送経路１を選択し、下りは伝送経路２を選択することにより、現時点で最適な伝送経路を選択することができる。
【００７７】
また、移動局１は基地局２から受信した通信チャネル開始指示の内容に基づいて、現在通信に使用している伝送経路が、直接基地局２と通信を行う伝送経路（伝送経路１）であるか、リレー局３を介した伝送経路（伝送経路２）であるか、さらには、２つの伝送経路を同時に使用する伝送経路（伝送経路３）であるかを、移動局１の使用者が識別可能になるように、伝送経路の識別情報を移動局１の図示しない表示部に表示するようにしてもよい。これにより、使用者は、現在使用中の伝送経路を認識することが可能となる。また、伝送経路１、２、３の中で使用可能な伝送経路が１つだけの場合、選択する余地は無いので、伝送経路の評価値をそれぞれ求めることなく、使用可能な経路を選択すればよい。
【００７８】
以上説明したように、伝送経路１、２、３の通信品質の評価値を、単位情報量を基地局２から移動局１へ伝送する際に必要となる無線リソース、他のセルへ与える干渉電力量、伝送時間、またはお互いの相対移動速度、さらにはこれら全ての組み合わせに対してそれぞれ重み係数を掛け合わせて合算することで算出し、それぞれの伝送経路のうち、最も好適な値が算出された伝送経路を選択して無線呼接続を確立するようにしたため、基地局２と移動局１の間で通信を行う場合に、リレー局３による中継機能を使った経路と、直接基地局２と移動局１間の無線伝送路による伝送経路のどちらもが可能な際の経路選択を好適に行うことができる。また、呼接続が完了した後に定期的に評価値を算出し、現在使用中の伝送経路よりも好適な値が算出された伝送経路が出現した場合は、その好適な伝送経路へハンドオーバーするようにしたため、常に好適な伝送経路を使用して通信を行うことが可能になる。
【００７９】
従来の携帯電話通信方式の場合、図１に示す伝送経路１による接続のみが考慮されており、リレー局３を使用して最適な伝送経路を構成する概念は無かった。また、近年においては、リレー局を用いる概念が取り入れられたが、複数の伝送経路から選択する場合には従来の通信方式のセル選択に頼ったものであり、移動局における受信電力測定に基づく判定を行うものであったため、必ずしも最適な伝送経路選択が行われていない。本発明においては、経路選択判定するために各伝送経路で使用する伝送路の評価関数を構成し、呼接続開始時と呼接続継続時にこの評価関数によって各伝送経路の評価値を算出することで、最適な伝送経路を選択することが可能である。評価関数として、単位情報量を伝送する際に必要となる無線リソース量、送信電力、伝送時間、基地局及びリレー局及び移動局間の相対移動速度を評価対象とすることで、それらに基づく最も好ましい伝送経路を選択することが可能となる。
【００８０】
なお、図１に示す情報収集部１６、２６、経路選択部１７、２７の機能を実現するためのプログラムをコンピュータ読み取り可能な記録媒体に記録して、この記録媒体に記録されたプログラムをコンピュータシステムに読み込ませ、実行することにより伝送経路選択処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００８２】
１・・・移動通信端末（移動局）、１１・・・無線部、１２・・・送信部、１３・・・受信部、１４・・・制御部、１５・・・アプリケーション部、１６・・・情報収集部、１７・・・経路選択部、１８・・・ＧＰＳ、２・・・基地局（基地局装置）、２１・・・無線部、２２・・・送信部、２３・・・受信部、２４・・・制御部、２５・・・ネットワーク通信部、２６・・・情報収集部、２７・・・経路選択部、３・・・リレー局（リレー局装置）、３１・・・無線部、３２・・・送信部、３３・・・受信部、３４・・・制御部、３５・・・ＧＰＳ、４・・・コアネットワーク
【図１】
2010232945.tif 000012
【図２】
2010232945.tif 000013